(57)【特許請求の範囲】
【請求項１】
原稿の画像を読み取る読取部と、前記読取部の駆動に関わる駆動部と、を収容する読取ユニットと、
前記読取ユニットの下方に設けられ、電気部品を収容する本体ユニットと、
一端部が前記読取ユニットにおいて前記駆動部に接続され、他端部が前記本体ユニットにおいて前記電気部品に接続され、中間部が前記読取ユニットから前記本体ユニットに配線される第１ケーブルと、
前記本体ユニットに設けられ、前記電気部品から水平方向に離間する位置で、前記第１ケーブルの前記中間部における前記読取ユニットから下向きに配線される第１部分を略Ｕ字状に撓ませた状態で保持する保持部と、を備え、
前記保持部によって前記略Ｕ字状に撓ませられた前記第１部分の下端部は、前記電気部品に対して上下方向に重ならない位置に設けられ、
前記保持部は、前記本体ユニットの上下方向に延びる側壁に対向する位置に設けられ、下端部に位置する第１端部が前記第１ケーブルの前記中間部における前記第１部分に当接し、前記第１ケーブルの配線方向を上向きに変更する第１保持部と、
前記側壁に対向しつつ前記第１保持部から水平方向に所定距離離間する位置に設けられ、上端部に位置する第２端部が前記第１ケーブルの前記中間部における前記第１保持部側から上向きに配線される第２部分に当接し、前記第１ケーブルの配線方向を下向きに変更する第２保持部と、を有し、
前記側壁の一端縁側には、前記側壁における前記第１保持部及び前記第２保持部と対向する部分から回り込んで上下方向に延びる屈曲壁部が形成され、
前記屈曲壁部には、前記第１保持部の前記第１端部に対して下方に位置し、下向きに凹む溝部が形成されていることを特徴とする画像読取装置。
【請求項２】
前記第１保持部の前記第１端部には、下向きに突出する規制部が形成されている請求項１記載の画像読取装置。
【請求項３】
前記第１保持部は、上下方向に略板状に延び、
前記本体ユニットに設けられ、前記第１保持部に対して前記第２保持部とは反対側から前記側壁に対向しつつ、上下方向に略板状に延びる対向壁部をさらに備えている請求項１又は２記載の画像読取装置。
【請求項４】
前記第２保持部は、上下方向に略板状に延びている請求項１乃至３のいずれか１項記載の画像読取装置。
【請求項５】
前記屈曲壁部には、前記溝部に隣接して設けられ、上下方向に延びる案内壁が形成されている請求項１乃至４のいずれか１項記載の画像読取装置。
【請求項６】
前記屈曲壁部には、前記第１保持部の前記第１端部に下方から対向する位置まで下り傾斜する傾斜面が形成されている請求項１乃至５のいずれか１項記載の画像読取装置。
【請求項７】
前記読取ユニットの上方に設けられ、シートを所定の搬送経路に沿って搬送して前記読取部によるシートの画像の読み取りを可能とする搬送部を収容する上部ユニットと、
一端部が前記上部ユニットにおいて前記搬送部に接続され、他端部が前記本体ユニットにおいて前記電気部品に接続され、中間部が前記上部ユニットから前記読取ユニットを経由して前記本体ユニットに配線される第２ケーブルと、をさらに備え、
前記保持部は、前記第２ケーブルの前記中間部における前記読取ユニットから下向きに配線される第３部分も略Ｕ字状に撓ませた状態で保持し、
前記保持部によって前記略Ｕ字状に撓ませられた前記第３部分の下端部は、前記電気部品に対して上下方向に重ならない位置に設けられている請求項１乃至６のいずれか１項記載の画像読取装置。
【請求項８】
前記画像読取装置の側面のうち、前記本体ユニット又は前記読取ユニット及び前記本体ユニットによって構成される特定側面には、前記本体ユニットの内部に向かって凹む凹部が設けられ、
前記凹部は、前記特定側面から屈曲し、前記本体ユニットの内部に向かって、略水平に、又は下り傾斜して延びる第１壁面と、前記第１壁面における前記特定側面から離間する端縁から屈曲して下向きに延びる第２壁面と、を含み、
前記第２壁面には、外部からアクセス可能な電位部が露出するように設けられ、
前記第１壁面には、下向きに突出するリブ、又は上向きに凹む溝が形成され、前記リブ又は前記溝は、前記特定側面と前記第１壁面との境界線と略平行に延びている請求項１乃至７のいずれか１項記載の画像読取装置。
【請求項９】
前記第１壁面は、前記本体ユニットの内部に向かって下り傾斜して延び、
前記第１壁面には、前記溝が形成されている請求項８記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、読取ユニットと、本体ユニットと、通電用のケーブルとを備えている。読取ユニットは、原稿の画像を読み取る読取部と、読取部の駆動に関わるモータ等である駆動部とを収容している。本体ユニットは、読取ユニットの下方に設けられ、制御用の基板等である電気部品を収容している。ケーブルは、一端部が読取ユニットにおいて駆動部に接続され、他端部が本体ユニットにおいて電気部品に接続され、中間部が読取ユニットから本体ユニットに配線されている。
【先行技術文献】
【特許文献】
【０００３】
【特許文献１】特開２０１４−１２０８６４号公報
【発明の概要】
【発明が解決しようとする課題】
【０００４】
ところで、上記従来の画像読取装置では、装置の上方から読取ユニットに液体がこぼれる場合がある。この場合において、その液体がケーブルの中間部に付着して他端部に向けて伝わり、電気部品に到達すれば、電気部品の故障が発生するおそれがある。
【０００５】
本発明は、上記従来の実情に鑑みてなされたものであって、上方からこぼれた液体が本体ユニット内の電気部品に到達することを抑制でき、ひいては、電気部品の故障を抑制できる画像読取装置を提供することを目的とする。
【課題を解決するための手段】
【０００６】
本発明の画像読取装置は、原稿の画像を読み取る読取部と、前記読取部の駆動に関わる駆動部と、を収容する読取ユニットと、
前記読取ユニットの下方に設けられ、電気部品を収容する本体ユニットと、
一端部が前記読取ユニットにおいて前記駆動部に接続され、他端部が前記本体ユニットにおいて前記電気部品に接続され、中間部が前記読取ユニットから前記本体ユニットに配線される第１ケーブルと、
前記本体ユニットに設けられ、前記電気部品から離間する位置で、前記第１ケーブルの前記中間部における前記読取ユニットから下向きに配線される第１部分を略Ｕ字状に撓ませた状態で保持する保持部と、を備えていることを特徴とする。
【０００７】
本発明の画像読取装置では、第１ケーブルの中間部における第１部分は、電気部品から離間する位置で、本体ユニットに設けられた保持部によって、略Ｕ字状に撓む状態で保持される。これにより、上方から読取ユニットに液体がこぼれ、第１ケーブルの中間部に付着する場合、その液体は、第１部分の略Ｕ字状の下端部に溜まった後、その下端部から落下する。つまり、この画像読取装置では、第１ケーブルを伝う液体を略Ｕ字状に撓む第１部分の下端部で断ち切ることができる。
【０００８】
したがって、本発明の画像読取装置では、上方からこぼれた液体が本体ユニット内の電気部品に到達することを抑制でき、ひいては、電気部品の故障を抑制できる。
【図面の簡単な説明】
【０００９】
【図１】実施例の画像読取装置の斜視図である。
【図２】実施例の画像読取装置の模式正面図である。
【図３】実施例の画像読取装置の部分斜視図である。
【図４】実施例の画像読取装置のブロック図である。
【図５】実施例の画像読取装置の部分斜視図である。
【図６】ジョイントカバーの斜視図である。
【図７】ジョイントカバーの部分斜視図である。
【図８】ジョイントカバーの部分斜視図である。
【図９】ジョイントカバー及び第１、２ケーブルの部分斜視図である。
【図１０】ジョイントカバー及び第１、２ケーブルの部分斜視図である。
【図１１】ジョイントカバー、制御基板及び複数のフラットケーブル等の部分斜視図である。
【図１２】（ａ）は、ジョイントカバー及び第１、２ケーブルの部分側面図であり、（ｂ）は、（ａ）の矢視Ｚ方向から見た第１保持部と溝部とを示す模式図である。
【図１３】図５のＡ−Ａ断面であって、凹部の第１、２壁面、溝及び電位部を示す模式断面図である。
【図１４】図１３と同様の断面であって、凹部の第１、２壁面、リブ及び電位部を示す模式断面図である。
【発明を実施するための形態】
【００１０】
以下、本発明を具体化した実施例を図面を参照しつつ説明する。
【００１１】
（実施例）
図１に示すように、実施例の画像読取装置１は、本発明の画像読取装置の具体的態様の一例である。この画像読取装置１は、画像読取処理の他、画像形成処理等の複数の処理を実行可能な複合機である。図１では、画像読取装置１の操作パネル２８側を装置の前側と規定し、操作パネル２８に向かって左を左側と規定して、前後、左右及び上下の各方向を表示する。そして、図２以降に示す各方向は、全て図１に示す各方向に対応させて表示する。以下、図１等に基づいて、画像読取装置１の具体的構成を説明する。
【００１２】
＜全体構成＞
図１〜図５に示すように、画像読取装置１は、本体ユニット１０と、読取ユニット２０と、上部ユニット４０とを備えている。本体ユニット１０は、読取ユニット２０の下方に設けられている。上部ユニット４０は、読取ユニット２０の上方に設けられている。
【００１３】
本体ユニット１０は、図示しない内部フレームと、図２及び図４に示す画像形成部５及び制御基板Ｃ１とを有している。画像形成部５及び制御基板Ｃ１は、図示しない内部フレームに保持された状態で、本体ユニット１０内に収容されている。画像形成部５は、インクジェット方式又はレーザ方式等によりシートに画像を形成する。図１〜図３に示すように、制御基板Ｃ１は、本体ユニット１０の左側面に隣接する位置で、上下方向及び前後方向に延在している。
【００１４】
図４に示すように、制御基板Ｃ１は、画像形成部５を制御して、画像形成処理を行う。また、制御基板Ｃ１は、読取部３及び搬送部４を制御して、画像読取処理を行う。さらに、制御基板Ｃ１は、操作パネル２８、モジュラコネクタ９９、ＵＳＢコネクタ９８及びＷ−ＬＡＮ基板９７を介して、入出力処理や通信処理等の各種の処理を行う。制御基板Ｃ１は、本発明の「電気部品」の一例である。
【００１５】
図１〜図６に示すように、本体ユニット１０は、ジョイントカバー３０を有している。ジョイントカバー３０は、本体ユニット１０の図示しない内部フレームに対して上方から組み付けられ、本体ユニット１０の上面を構成している。
【００１６】
より詳しくは、図６に示すように、ジョイントカバー３０は、支持面３５と、第１連結部３１と、第２連結部３２と、後壁部３８とを有している。第１連結部３１は、ジョイントカバー３０における支持面３５よりも左に位置している。第２連結部３２は、ジョイントカバー３０における支持面３５よりも右に位置している。後壁部３８は、ジョイントカバー３０における支持面３５よりも後方に位置している。後壁部３８は、左右方向に延びて、第１連結部３１の後端部と、第２連結部３２の後端部とに接続している。
【００１７】
支持面３５は、第１連結部３１の下端部と、第２連結部３２の下端部と、後壁部３８の下端部とに接続している。つまり、支持面３５は、第１連結部３１、第２連結部３２及び後壁部３８によって左側、右側及び後側から囲まれた状態になっている。
【００１８】
支持面３５の後端縁３５Ｄは、後壁部３８の前面に設けられた排出口３８Ｈよりも下側に位置している。支持面３５は、後端縁３５Ｄから前方に向かって上り傾斜した後、略水平に前向きに延びて、前端縁３５Ｅに到る。図１に示すように、支持面３５の前端縁３５Ｅは、本体ユニット１０の前面よりも後側に位置している。支持面３５は、画像形成部５から排出されるシートを支持する。なお、排出口３８Ｈは、画像形成部５が収容される空間と連通しており、画像形成部５によって画像が形成されたシートが支持面３５に排出される際に通過する開口である。
【００１９】
図１及び図２に示すように、ジョイントカバー３０における第１連結部３１の上端部及び第２連結部３２の上端部と、読取ユニット２０の底壁部２０Ｄとが連結されることによって、本体ユニット１０と読取ユニット２０とが連結されている。
【００２０】
図６〜図１２に示すように、第１連結部３１の左側面には、保持部１００、対向壁部１３０、第１フラットケーブル保持部３１１、第２フラットケーブル保持部３１２、第３フラットケーブル保持部３１３及び第４フラットケーブル保持部３１４が形成されている。第１フラットケーブル保持部３１１、第２フラットケーブル保持部３１２及び第４フラットケーブル保持部３１４は、前後、左右が壁で仕切られた空間である。また、第１フラットケーブル保持部３１１、第２フラットケーブル保持部３１２及び第４フラットケーブル保持部３１４のそれぞれの底部には、前後方向に長い矩形穴が上下方向に貫設されている。これらの矩形穴に後述する第１フラットケーブル７１、第２フラットケーブル７２及び第３フラットケーブル７４が挿通される。また、第３フラットケーブル保持部３１３は、上下、左右に壁が設けられ、前後方向では貫通している。この貫通した部分に、後述する第３フラットケーブル７３が挿通される。図１１に示すように、第１フラットケーブル保持部３１１、第２フラットケーブル保持部３１２及び第４フラットケーブル保持部３１４は、制御基板Ｃ１の上端縁に対して真上に位置している。第１フラットケーブル保持部３１１は、第２フラットケーブル保持部３１２の下方に位置している。第４フラットケーブル保持部３１４は、第１フラットケーブル保持部３１１の前方に位置している。第３フラットケーブル保持部３１３は、第４フラットケーブル保持部３１４の前方に位置している。図２及び図１１に示すように、制御基板Ｃ１は、ジョイントカバー３０の第１連結部３１に対して下方に位置している。
【００２１】
図１に示すように、本体ユニット１０は、前面カバー１２を有している。前面カバー１２は、下端縁１２Ｄから上方に延びた後、後向きに屈曲して上端縁１２Ｅに到る。前面カバー１２の前方を向く面は、本体ユニット１０の外装の一部を構成している。開閉カバー１２の上端縁１２Ｅは、支持面３５の前端縁３５Ｅに前から対向している。開閉カバー１２の上端縁１２Ｅを含む平坦面１２Ｐは、略水平に延在して支持面３５と連続する平面を構成している。これにより、開閉カバー１２の平坦面１２Ｐも、支持面３５とともに、画像形成部５から排出されるシートを支持する。
【００２２】
図１及び図２に示すように、ジョイントカバー３０の支持面３５、第１連結部３１の右側面及び第２連結部３２の左側面と、読取ユニット２０の底壁部２０Ｄと、前面カバー１２の平坦面１２Ｐとによって、画像形成部５によって画像が形成されたシートが排出される排出空間Ａ１が区画されている。排出空間Ａ１は、画像読取装置１の前方で開放されている。ユーザが画像読取装置１の前方から排出空間Ａ１に手を差し入れて、支持面３５に支持されるシートを取り出すことができる。
【００２３】
図１に示すように、排出空間Ａ１内の上方かつ左方には、ＵＳＢコネクタ９８が配設されている。ＵＳＢコネクタ９８は、ジョイントカバー３０の第１連結部３１に組み付けられ、ＵＳＢコネクタ９８の接続部が、排出空間Ａ１の前方に向かって露出する位置に設けられている。
【００２４】
図４に示すように、ＵＳＢコネクタ９８には、ＵＳＢケーブル７５の一端部７５Ａが接続されている。図１１に示すように、ＵＳＢケーブル７５は、可撓性を有する１本のチューブ内に複数本の被覆電線が束ねられた状態で収容されてなる。ＵＳＢケーブル７５の中間部７５Ｃは、ジョイントカバー３０の第１連結部３１の左側面に沿って後向きに配線された後、下向きに延びている。図４及び図１１に示すように、ＵＳＢケーブル７５の他端部７５Ｂは、制御基板Ｃ１に接続されている。
【００２５】
なお、本実施形態においては、ＵＳＢケーブル７５における一端部７５Ａと他端部７５Ｂとの間の部分を中間部７５Ｃとする。中間部７５Ｃは、ＵＳＢケーブル７５のうち、一端部７５Ａと他端部７５Ｂとに挟まれた全体であっても、一部であってもよい。後述する、その他のケーブルについても同様である。
【００２６】
図１及び図５に示すように、本体ユニット１０は、左面カバー１４と右面カバー１５とを有している。左面カバー１４は、本発明の「本体ユニットの側壁」の一例である。
【００２７】
左面カバー１４は、本体ユニット１０内の図示しない内部フレーム及び画像形成部５と、ジョイントカバー３０の第１連結部３１とを左から覆っている。右面カバー１５は、本体ユニット１０内の図示しない内部フレーム及び画像形成部５と、ジョイントカバー３０の第２連結部３２とを右から覆っている。
【００２８】
図５に示すように、左面カバー１４の後端縁側には、屈曲壁部１４Ａが形成されている。屈曲壁部１４Ａは、本体ユニット１０の後面側に回り込むように右向きに屈曲して、本体ユニット１０の後面の一部を構成している。右面カバー１５の後端縁側には、屈曲壁部１５Ａが形成されている。屈曲壁部１５Ａは、本体ユニット１０の後面側に回り込むように左向きに屈曲して、本体ユニット１０の後面の一部を構成している。
【００２９】
図２及び図３に示すように、読取ユニット２０は、プラテンガラス２９を有している。プラテンガラス２９は、読取ユニット２０の上面に配設されている。プラテンガラス２９の上面は、シートや書籍等である原稿を支持する原稿支持面２９Ａとされている。
【００３０】
図２及び図４に示すように、読取ユニット２０内には、第１読取センサ３Ａ、駆動部３Ｍ及び図示しない走査機構が収容されている。第１読取センサ３Ａは、プラテンガラス２９に下から対向している。第１読取センサ３Ａとしては、密着型イメージセンサ（ＣＩＳ：Contact Image Sensor）やＣＣＤ（Charge Coupled Device）等の周知の画像読取センサが使用される。
【００３１】
図４に示すように、第１読取センサ３Ａには、第１フラットケーブル７１の一端部７１Ａが接続されている。図１１に示すように、第１フラットケーブル７１は、複数本の被覆電線が帯状に接合されてなる。第１フラットケーブル７１の中間部７１Ｃは、読取ユニット２０から下向きに配線されている。第１フラットケーブル７１の中間部７１Ｃは、ジョイントカバー３０の第１連結部３１の左側面に沿ってクランク状に折り曲げられている。第１フラットケーブル７１の中間部７１Ｃは、クランク状の折り曲げ部分よりも下部分がその上部分に対して後方に位置し、第１フラットケーブル保持部３１１に挿通され、さらに下向きに延びている。図４及び図１１に示すように、第１フラットケーブル７１の他端部７１Ｂは、制御基板Ｃ１に接続されている。図１１に示すように、第１フラットケーブル７１の他端部７１Ｂは、ＵＳＢケーブル７５の他端部７５Ｂよりも後方かつ下方で制御基板Ｃ１に接続されている。
【００３２】
駆動部３Ｍとしては、ステッピングモータ等が使用される。図２及び図４に示すように、駆動部３Ｍには、第１ケーブル５０の一端部５０Ａが接続されている。図９、図１０及び図１２（ａ）に示すように、第１ケーブル５０は、複数本の被覆電線が束ねられてなる。第１ケーブル５０の中間部５０Ｃは、読取ユニット２０から下向きに配線されている。後で詳しく説明するように、第１ケーブル５０の中間部５０Ｃは、ジョイントカバー３０の第１連結部３１に設けられた保持部１００に保持されて２回折り曲げられた後、下向きに延びている。図２及び図４に示すように、第１ケーブル５０の他端部５０Ｂは、制御基板Ｃ１に接続されている。
【００３３】
図示しない走査機構は、第１読取センサ３Ａを保持している。原稿支持面２９Ａに支持された原稿の画像を読み取る場合、図示しない走査機構は、駆動部３Ｍに駆動されて、図２及び図４に示すように、第１読取センサ３Ａを左右方向に往復移動させる。また、搬送部４に搬送されるシートＳＨの画像を読み取る場合、図示しない走査機構は、駆動部３Ｍに駆動されて、第１読取センサ３Ａを予め設定された静止読取位置に停止させる。
【００３４】
図１に示すように、上部ユニット４０は、読取ユニット２０の後端部に配設された図示しないヒンジによって、左右方向に延びる揺動軸心Ｘ４０周りで揺動可能に読取ユニット２０に支持されている。上部ユニット４０は、図１及び図２に示す閉じた状態では、原稿支持面２９Ａを上方から覆っている。上部ユニット４０は、その前端部が上方かつ後方に変位するように揺動軸心Ｘ４０周りで揺動することにより、図３に示すように開いた状態となって、原稿支持面２９Ａを露出させる。これにより、ユーザは、読取対象の原稿を原稿支持面２９Ａに支持させることができる。
【００３５】
なお、本実施例においては、原稿支持面２９Ａを使用して画像が読み取られる対象を原稿と記載し、搬送部４により搬送しながら画像が読み取られる対象をシートＳＨと記載する。原稿とシートＳＨとは、実質的に同じものであってもよい。
【００３６】
図２及び図４に示すように、上部ユニット４０には、搬送部４及び第２読取センサ３Ｂが収容されている。搬送部４は、モータ４Ｍ及び図示しないシート位置センサ等を有している。図２に示すように、搬送部４は、シートＳＨを所定の搬送経路Ｐ１に沿って１枚ずつ搬送する。
【００３７】
図２及び図４に示すように、モータ４Ｍ及び図示しないシート位置センサには、第２ケーブル６０の一端部６０Ａが接続されている。図９、図１０及び図１２（ａ）に示すように、第２ケーブル６０は、可撓性を有する１本のチューブ内に複数本の被覆電線が束ねられた状態で収容されてなる。第２ケーブル６０の中間部６０Ｃは、上部ユニット４０から引き出された後、図３に示すように、読取ユニット２０の上面に形成された開口部２０Ｈから読取ユニット２０内に導入され、さらに、図９、図１０及び図１２（ａ）に示すように、読取ユニット２０から下向きに配線されている。後で詳しく説明するように、第２ケーブル６０の中間部６０Ｃは、第１ケーブル５０の中間部５０Ｃと束ねられ、ジョイントカバー３０の第１連結部３１に設けられた保持部１００に保持されて２回折り曲げられた後、下向きに延びている。図２及び図４に示すように、第２ケーブル６０の他端部６０Ｂは、制御基板Ｃ１に接続されている。
【００３８】
第２読取センサ３Ｂは、第１読取センサ３Ａと同種のものである。図２に示すように、第２読取センサ３Ｂは、静止読取位置に停止する第１読取センサ３Ａに対向する位置で、搬送経路Ｐ１を搬送されるシートＳＨの画像を読取可能に配設されている。なお、第２読取センサ３Ｂの位置は、図２に示される位置に限定されない。
【００３９】
図４に示すように、第２読取センサ３Ｂには、第２フラットケーブル７２の一端部７２Ａが接続されている。図１１に示すように、第２フラットケーブル７２は、複数本の被覆電線が帯状に接合されてなる。第２フラットケーブル７２の中間部７２Ｃは、上部ユニット４０から引き出された後、図３に示す開口部２０Ｈから読取ユニット２０内に導入され、さらに、図１１に示すように、読取ユニット２０から下向きに配線されている。第２フラットケーブル７２の中間部７２Ｃは、ジョイントカバー３０の第１連結部３１の左側面に沿って下向きに延び、第２フラットケーブル保持部３１２に挿通され、さらに下向きに延びている。第２フラットケーブル保持部３１２には、ノイズ低減用のフェライトコア３１２Ｎが配置されている。左右方向から見て、第２フラットケーブル７２の中間部７２Ｃは、第１フラットケーブル７１の中間部７１Ｃと重なる部分を含んでいる。図７及び図８に示すように、第１フラットケーブル保持部３１１は、第２フラットケーブル保持部３１２に対して左側にずれて配置されている。すなわち、第１フラットケーブル保持部３１１は、第２フラットケーブル保持部３１２に対して左方向に突出する位置に配置されている。これにより、第１フラットケーブル７１の中間部７１Ｃと第２フラットケーブル７２の中間部７２Ｃとが左右方向において離間する状態が維持され、双方のノイズによる悪影響が抑制される。図４及び図１１に示すように、第２フラットケーブル７２の他端部７２Ｂは、制御基板Ｃ１に接続されている。図１１に示すように、第２フラットケーブル７２の他端部７２Ｂは、ＵＳＢケーブル７５の他端部７５Ｂよりも後側で制御基板Ｃ１に接続されている。また、第２フラットケーブル７２の他端部７２Ｂは、第１フラットケーブル７１の他端部７１Ｂよりも上側で制御基板Ｃ１に接続されている。
【００４０】
図２及び図４に示すように、第１読取センサ３Ａ、第２読取センサ３Ｂ、駆動部３Ｍ及び図示しない走査機構を有して読取部３が構成されている。
【００４１】
原稿支持面２９Ａに支持された原稿の画像を読み取る場合、制御基板Ｃ１が第１読取センサ３Ａ及び駆動部３Ｍを制御し、図２及び図３に示すように、第１読取センサ３Ａをプラテンガラス２９の下で左右方向に往復移動させる。これにより、第１読取センサ３Ａは、原稿の画像の一部を前後方向（主走査方向）に長いライン状に読み取りながら、左右方向（副走査方向）に移動して、原稿の画像の全体を読み取る。
【００４２】
搬送部４に搬送されるシートＳＨの画像を読み取る場合、制御基板Ｃ１が駆動部３Ｍを制御し、第１読取センサ３Ａを予め設定された静止読取位置に停止させる。そして、制御基板Ｃ１が第１読取センサ３Ａ、第２読取センサ３Ｂ及び搬送部４のモータ４Ｍを制御し、搬送部４によって搬送されて静止読取位置に停止した第１読取センサ３Ａの上方を通過するシートＳＨの一面の画像を第１読取センサ３Ａによって読み取るとともに、シートＳＨの他面の画像を第２読取センサ３Ｂによって読み取る。シートＳＨの片面の画像を読み取る場合、第１読取センサ３Ａのみが作動する。
【００４３】
図１に示すように、読取ユニット２０の前端部は、上部ユニット４０よりも前方に突出しており、その突出した部分の上面に操作パネル２８が設けられている。操作パネル２８は、画像読取装置１の稼働状態や設定等を表示したり、ユーザからの入力を受け付けるユーザインターフェースである。
【００４４】
より詳しくは、図１及び図４に示すように、操作パネル２８は、ＬＣＤ等である表示部２８Ａと、表示部２８Ａに重ねて配置されるタッチパネル２８Ｂとを有している。図４に示すように、操作パネル２８内には、タッチパネル２８Ｂ及び図示しない静電キーに接続される静電キー基板２８Ｃと、表示部２８Ａ及び静電キー基板２８Ｃに接続されるパネル制御基板２８Ｄとが保持されている。
【００４５】
図４に示すように、パネル制御基板２８Ｄには、第３フラットケーブル７３の一端部７３Ａが接続されている。図１１に示すように、第３フラットケーブル７３は、複数本の被覆電線が帯状に接合されてなる。第３フラットケーブル７３の中間部７３Ｃは、ジョイントカバー３０の第１連結部３１の左側面に沿って後向きに配線されて、第３フラットケーブル保持部３１３に挿通された後、折り曲げられて下向きに延びている。図４及び図１１に示すように、第３フラットケーブル７３の他端部７３Ｂは、制御基板Ｃ１に接続されている。図１１に示すように、第３フラットケーブル７３の他端部７３Ｂは、ＵＳＢケーブル７５の他端部７５Ｂよりも前方で制御基板Ｃ１に接続されている。
【００４６】
図５及び図１３に示すように、読取ユニット２０の後面及びジョイントカバー３０の後面によって構成される画像読取装置１の後面の一部を後面１０Ｇとする。後面１０Ｇは、本発明の「特定側面」の一例である。後面１０Ｇは、読取ユニット２０の後面において下向きに略垂直に延びた後、ジョイントカバー３０の後面において上下方向の途中部分から前向きに下り傾斜するように屈曲し、さらに屈曲部１０Ｋにおいて下向きに屈曲した後、略垂直に延びている。
【００４７】
後面１０Ｇには、凹部１８０が設けられている。凹部１８０は、後面１０Ｇから本体ユニット１０の内部に向かって、すなわち前向きに凹んでいる。凹部１８０は、第１壁面１８１と第２壁面１８２とを含んでいる。第１壁面１８１は、後面１０Ｇから屈曲し、前向きに下り傾斜して延びている。第２壁面１８２は、第１壁面１８１における後面１０Ｇから前方に離間する端縁、すなわち前端縁１８１Ｅから屈曲して下向きに延びている。
【００４８】
第１壁面１８１には、上向きに凹む溝１８３が形成されている。溝１８３は、後面１０Ｇの垂直面と第１壁面１８１との境界線１８１Ｂと略平行に、すなわち左右方向に延びている。溝１８３の左端部及び右端部は、第１壁面１８１の左端縁及び右端縁に達している。
【００４９】
図５及び図６に示すように、ジョイントカバー３０の後面における第２壁面１８２の一部を構成する部分には、取付穴１８２Ｈが貫設されている。図１３に示すように、第２壁面１８２の取付穴１８２Ｈには、モデムコネクタ９９が後面１０Ｇから露出するように取り付けられている。モデムコネクタ９９は、本発明の「外部からアクセス可能な電位部」の一例である。モデムコネクタ９９には、インターネット回線等が接続される。
【００５０】
図４に示すように、モデムコネクタ９９には、第４フラットケーブル７４の一端部７４Ａが接続されている。図１１に示すように、第４フラットケーブル７４は、複数本の被覆電線が帯状に接合されてなる。図示は省略するが、第４フラットケーブル７４の中間部７４Ｃは、ジョイントカバー３０の後壁部３８内を配線されて、第１連結部３１の左側面に到る。そして、図１１に示すように、第４フラットケーブル７４の中間部７４Ｃは、第１連結部３１の左側面に沿ってクランク状に折り曲げられている。第４フラットケーブル７４の中間部７４Ｃは、クランク状の折り曲げ部分よりも下部分がその上部分に対して左に位置し、第４フラットケーブル保持部３１４に挿通され、さらに下向きに延びている。第４フラットケーブル保持部３１４には、ノイズ低減用のフェライトコア３１４Ｎが配置されている。左右方向から見て、第４フラットケーブル７４の中間部７４Ｃは、第１フラットケーブル７１の中間部７１Ｃと重なる部分を含んでいる。図７及び図８に示すように、第１連結部３１の左側面における第４フラットケーブル保持部３１４よりも上の領域は、第４フラットケーブル保持部３１４に対して右向きに凹んでいる。すなわち、第４フラットケーブル保持部３１４は、第１連結部３１の左側面における第４フラットケーブル保持部３１４よりも上の領域に対して左方向に突出する位置に配置されている。そして、第４フラットケーブル７４の中間部７４Ｃは、第４フラットケーブル保持部３１４に保持される部分より上に位置する部分が、第１連結部３１の左側面に沿って配線される。一方、第１フラットケーブル７１の中間部７１Ｃは、第１連結部３１の左側面から所定距離だけ離間した位置で上下方向に配線される。これにより、第１フラットケーブル７１の中間部７１Ｃと第４フラットケーブル７４の中間部７４Ｃとが左右方向において離間する状態が維持され、双方のノイズによる悪影響が抑制される。図４及び図１１に示すように、第４フラットケーブル７４の他端部７４Ｂは、制御基板Ｃ１に接続されている。図１１に示すように、第４フラットケーブル７４の他端部７４Ｂは、ＵＳＢケーブル７５の他端部７５Ｂよりも前方、かつ第３フラットケーブル７３の他端部７３Ｂよりも後方で制御基板Ｃ１に接続されている。
【００５１】
図４及び図１１に示すように、制御基板Ｃ１には、Ｗ−ＬＡＮ基板９７が接続されている。Ｗ−ＬＡＮ基板９７は、無線ＬＡＮ等によって外部の情報処理端末との間で情報の伝達を行うためのものである。図１１に示すように、Ｗ−ＬＡＮ基板９７は、第４フラットケーブル７４の他端部７４Ｂよりも前方、かつ第３フラットケーブル７３の他端部７３Ｂよりも後方となる位置で制御基板Ｃ１に接続されている。また、Ｗ−ＬＡＮ基板９７の一部は、制御基板Ｃ１の上端縁よりも上方に突出している。第１〜４フラットケーブル７１〜７４及びＵＳＢケーブル７５は、Ｗ−ＬＡＮ基板９７の送受信性能を低下させないように、Ｗ−ＬＡＮ基板９７から離間してそれぞれ配置されている。
【００５２】
＜保持部及び対向壁部の具体的構成＞
図７〜図１２に示すように、保持部１００及び対向壁部１３０は、本実施例では、樹脂成形品であるジョイントカバー３０の第１連結部３１の左側面に一体成形されている。
【００５３】
保持部１００は、第１保持部１１０と第２保持部１２０とを有している。第１保持部１１０及び第２保持部１２０は、第１フラットケーブル保持部３１１及び第２フラットケーブル保持部３１２よりも後方であって、ジョイントカバー３０の後面に近い位置に配置されている。第２保持部１２０は、第１保持部１１０から前方に所定距離離間する位置に配置されている。第１保持部１１０と第２保持部１２０とは、前後方向から見て重なる部分を有している。
【００５４】
図１１に示すように、第２保持部１２０は、制御基板Ｃ１の後方かつ上方の角部に対して上方に離間した位置に設けられている。第１保持部１１０は、制御基板Ｃ１に対して後方かつ上方に離間した位置に設けられている。
【００５５】
図７〜図１２に示すように、第１保持部１１０は、第１連結部３１の左側面から左向きに突出し、かつ上下方向に略板状に延びている。図１２（ａ）に示すように、左右方向から見た場合、第１保持部１１０は、後面１０Ｇの屈曲部１０Ｋのほぼ真上に位置している。図１２（ｂ）に示すように、第１保持部１１０は、本体ユニット１０の左面カバー１４に隣接して設けられている。
【００５６】
図７〜図１２に示すように、第１保持部１１０の左端部は、後向きに屈曲し、かつ上下方向に延在するリブを有している。図７、図８及び図１２（ｂ）に示すように、第１保持部１１０の下端には、第１端部１１１が形成されている。第１端部１１１は、左右方向に延びている。第１端部１１１の左端は、下向きに突出しており、第１保持部１１０のリブの下端に接続している。この第１端部１１１の左端において下向きに突出する部分と第１保持部１１０のリブの下端部とにより、規制部１１１Ｈが形成されている。
【００５７】
図７〜図１２に示すように、第２保持部１２０は、第１連結部３１の左側面から左向きに突出し、かつ上下方向に略板状に延びている。第２保持部１２０は、第２フラットケーブル保持部３１２の後端面３１２Ｇに対して後方に所定距離離間して対向している。図１２（ａ）に示すように、左右方向から見た場合、第２保持部１２０は、後面１０Ｇの屈曲部１０Ｋに対して前方に離間する位置に配置されている。
【００５８】
図７に示すように、第２保持部１２０の上端には、第２端部１２２が形成されている。第２端部１２２は、上方を向きつつ左右方向に延びている。第２端部１２２の左端部には、後向きに突出した後に上向きに屈曲する規制部１２２Ｈが形成されている。
【００５９】
図７〜図１２に示すように、第２保持部１２０の左端縁には、可撓部１２８が形成されている。可撓部１２８は、第２保持部１２０から分岐してなり、下向きに片持ち梁状に突出している。可撓部１２８の下端部は、前向きに膨出している。可撓部１２８は、その下端部を前後方向に変位させるように弾性変形可能である。
【００６０】
対向壁部１３０は、第１保持部１１０に対して第２保持部１２０とは反対側から対向する位置に、すなわち、第１保持部１１０とジョイントカバー３０の後面との間に配置されている。対向壁部１３０は、第１連結部３１の左側面から左向きに突出し、かつ上下方向に略板状に延びている。図１２（ａ）に示すように、左右方向から見た場合、対向壁部１３０は、後面１０Ｇの屈曲部１０Ｋに対して後側に離間する位置に配置されている。
【００６１】
対向壁部１３０における上下方向の略中間部には、可撓部１３８が形成されている。可撓部１３８は、対向壁部１３０の板状部分の一部が切り欠かれて形成され、左向きに片持ち梁状に突出している。可撓部１３８の左端部は、前向きに膨出している。可撓部１３８は、左端部を前後方向に変位させるように弾性変形可能である。
【００６２】
第１ケーブル５０の中間部５０Ｃ及び第２ケーブル６０の中間部６０Ｃは、以下のようにして、第１保持部１１０、第２保持部１２０及び対向壁部１３０に保持されている。
【００６３】
図９、図１０及び図１２（ａ）に示すように、第１ケーブル５０の中間部５０Ｃにおける読取ユニット２０から下向きに配線される第１部分５１と、第２ケーブル６０の中間部６０Ｃにおける読取ユニット２０から下向きに配線される第３部分６３とを第１保持部１１０と対向壁部１３０との間に挿通させる。この際、対向壁部１３０の可撓部１３８を後向きに撓ませることにより、第１ケーブル５０の第１部分５１と、第２ケーブル６０の第３部分６３とを第１保持部１１０と対向壁部１３０との間に容易に挿通させることができる。その後、元の状態に復帰した可撓部１３８は、第１ケーブル５０の第１部分５１と、第２ケーブル６０の第３部分６３とが第１保持部１１０と対向壁部１３０との間から外れないように規制する。
【００６４】
次に、第１ケーブル５０の第１部分５１と、第２ケーブル６０の第３部分６３とを第１保持部１１０の第１端部１１１に当接させて、配線方向を上向きに変更する。この際、第１保持部１１０の規制部１１１Ｈによって、第１ケーブル５０の第１部分５１と、第２ケーブル６０の第３部分６３とが第１保持部１１０の第１端部１１１からずれることが規制される。
【００６５】
次に、第１ケーブル５０の中間部５０Ｃにおける第１保持部１１０側から上向きに配線される第２部分５２と、第２ケーブル６０の中間部６０Ｃにおける第１保持部１１０側から上向きに配線される第４部分６４とを第２保持部１２０の第２端部１２２に当接させて、配線方向を下向きに変更する。この際、第２保持部１２０の規制部１２２Ｈによって、第１ケーブル５０の第２部分５２と、第２ケーブル６０の第４部分６４とが第２保持部１２０の第２端部１２２からずれることが規制される。
【００６６】
次に、第１ケーブル５０の第２部分５２と、第２ケーブル６０の第４部分６４とを第２保持部１２０と第２フラットケーブル保持部３１２の後端面３１２Ｇとの間に挿通させる。この際、第２保持部１２０の可撓部１２８を後向きに撓ませることにより、第１ケーブル５０の第２部分５２と、第２ケーブル６０の第４部分６４とを第２保持部１２０と後端面３１２Ｇとの間に容易に挿通させることができる。その後、元の状態に復帰した可撓部１２８は、第１ケーブル５０の第２部分５２と、第２ケーブル６０の第４部分６４とが第２保持部１２０と後端面３１２Ｇとの間から外れないように規制する。
【００６７】
こうして、保持部１００は、第１ケーブル５０の第１部分５１と、第２ケーブル６０の第３部分６３とを略Ｕ字状に撓ませた状態で保持する。図１２（ａ）に示すように、左右方向から見た場合、第１部分５１の下端部５１Ｄと、第３部分６３の下端部６３Ｄとは、後壁１０Ｇの屈曲部１０Ｋのほぼ真上に位置している。換言すると、第１部分５１の下端部５１Ｄと、第３部分６３の下端部６３Ｄとは、制御基板Ｃ１に対して上下方向に重ならない位置に設けられる。
【００６８】
＜溝部、案内壁、傾斜面の具体的構成＞
図１２（ａ）及び（ｂ）に左面カバー１４を二点鎖線で示すように、左面カバー１４の屈曲壁部１４Ａには、溝部１４０と、案内壁１４５と、傾斜面１４９とが形成されている。
【００６９】
溝部１４０は、屈曲壁部１４Ａの内面と、屈曲壁部１４Ａの内面から突出するリブ１４Ｒとによって区画されて、下向きに凹む空間である。図１２（ａ）に示すように、左右方向から見た場合、リブ１４Ｒは、屈曲壁部１４Ａの内面における後壁１０Ｇの屈曲部１０Ｋよりも下の箇所から前向きに上り傾斜した後に上向きに略垂直に延びている。図１２（ｂ）に示すように、溝部１４０は、第１端部１１１が延びる左右方向と略平行に延びている。溝部１４０の左端部１４１は、第１保持部１１０の規制部１１１Ｈよりも左側に位置して、閉じている。溝部１４０の右端部１４２は、ジョイントカバー３０における第１連結部３１の左側面に隣接して、開いている。つまり、溝部１４０は、第１保持部１１０の第１端部１１１に対して下方に位置している。
【００７０】
図５、図１２（ａ）及び（ｂ）に示すように、案内壁１４５は、左面カバー１４の屈曲壁部１４Ａのうち、溝部１４０の右端部１４２に接する位置から下向きに延びる部分である。
【００７１】
図１２（ａ）に示すように、傾斜面１４９は、左面カバー１４の屈曲壁部１４Ａの内面のうち、後壁１０Ｇの屈曲部１０Ｋよりも上側に位置する部分である。傾斜面１４９は、第１保持部１１０の第１端部１１１に下方から対向する位置まで下り傾斜している。
【００７２】
＜作用効果＞
実施例の画像読取装置１では、上部ユニット４０が図１に示す閉じた状態で、上方から液体がこぼれると、上部ユニット４０と読取ユニット２０との隙間や、読取ユニット２０とジョイントカバー３０との隙間等から読取ユニット２０内やジョイントカバー３０内に液体が浸入するおそれがある。また、上部ユニット４０が図３に示す開いた状態で、上方から読取ユニット２０の上面に液体がこぼれると、読取ユニット２０とプラテンガラス２９との隙間や開口部２０Ｈから読取ユニット２０内に液体が浸入するおそれがある。これらの場合、浸入した液体が第１ケーブル５０の中間部５０Ｃ及び第２ケーブル６０の中間部６０Ｃに付着するおそれがある。
【００７３】
ここで、この画像読取装置１では、図９、図１０及び図１２（ａ）に示すように、第１ケーブル５０の中間部５０Ｃにおける第１部分５１と、第２ケーブル６０の中間部６０Ｃにおける第３部分６３とは、制御基板Ｃ１から後方に離間する位置で、第１保持部１１０及び第２保持部１２０によって、略Ｕ字状に撓む状態で保持されている。
【００７４】
これにより、第１ケーブル５０の中間部５０Ｃ及び第２ケーブル６０の中間部６０Ｃに付着した液体が第１ケーブル５０の第１部分５１と、第２ケーブル６０の第３部分６３とを伝わって垂れる場合、その液体は、第１部分５１の略Ｕ字状の下端部５１Ｄと、第３部分６３の略Ｕ字状の下端部６３Ｄとに溜まった後、その下端部から落下する。つまり、この画像読取装置１では、第１ケーブル５０を伝う液体を第１部分５１の下端部５１Ｄで断ち切ることができるとともに、第２ケーブル６０を伝う液体を第３部分６３の下端部６３Ｄで断ち切ることができる。
【００７５】
したがって、実施例の画像読取装置１では、上方からこぼれた液体が本体ユニット１０内の制御基板Ｃ１に到達することを抑制でき、ひいては、制御基板Ｃ１の故障を抑制できる。
【００７６】
また、この画像読取装置１では、図９〜図１２（ａ）に示すように、第１部分５１の下端部５１Ｄと、第３部分６３の下端部６３Ｄとは、制御基板Ｃ１に対して上下方向に重ならない位置に設けられる。これにより、第１部分５１の下端部５１Ｄと、第３部分６３の下端部６３Ｄとに溜まった液体が落下しても、制御基板Ｃ１に付着し難い。
【００７７】
さらに、この画像読取装置１では、図９、図１０及び図１２（ａ）に示すように、第１保持部１１０及び第２保持部１２０によって、第１ケーブル５０の中間部５０Ｃにおける第１部分５１から第２部分５２までの範囲が２回折り返される状態で保持されるので、その範囲が第１保持部１１０及び第２保持部１２０に対してずれ難くなる。また、第１保持部１１０及び第２保持部１２０によって、第２ケーブル６０の中間部６０Ｃにおける第３部分６３から第４部分６４までの範囲が２回折り返される状態で保持されるので、その範囲が第１保持部１１０及び第２保持部１２０に対してずれ難くなる。このため、第１ケーブル５０の第１部分５１の略Ｕ字状に撓む形状が好適に維持されるとともに、第２ケーブル６０の第３部分６３の略Ｕ字状に撓む形状が好適に維持される。その結果、この画像読取装置１では、第１ケーブル５０を伝う液体を第１部分５１の下端部５１Ｄで確実に断ち切ることができるとともに、第２ケーブル６０を伝う液体を第３部分６３の下端部６３Ｄで確実に断ち切ることができる。
【００７８】
また、この画像読取装置１では、第１保持部１１０の第１端部１１１に形成された規制部１１１Ｈによって、第１ケーブル５０の第１部分５１と、第２ケーブル６０の第３部分６３とが第１保持部１１０の第１端部１１１から外れ難い。また、第２保持部１２０の第２端部１２２に形成された規制部１２２Ｈによって、第１ケーブル５０の第２部分５２と、第２ケーブル６０の第４部分６４とが第２保持部１２０の第２端部１２２から外れ難い。
【００７９】
さらに、この画像読取装置１では、第１ケーブル５０の第１部分５１と、第２ケーブル６０の第３部分６３とが第１保持部１１０と対向壁部１３０とに前後から挟まれている。これにより、この画像読取装置１では、第１ケーブル５０の第１部分５１の略Ｕ字状に撓む形状が好適に維持されるとともに、第２ケーブル６０の第３部分６３の略Ｕ字状に撓む形状が好適に維持される。
【００８０】
また、この画像読取装置１では、第１ケーブル５０の第２部分５２の下向きに延びる部位と、第２ケーブル６０の第４部分６４の下向きに延びる部位とは、上下方向に略板状に延びる第２保持部１２０によって、第１ケーブル５０の第１部分５１と、第２ケーブル６０の第３部分６３とに接近しないように規制される。その結果、この画像読取装置１では、第１部分５１の下端部５１Ｄと、第３部分６３の下端部６３Ｄとに溜まった液体が第２部分５２の下向きに延びる部位と、第４部分６４の下向きに延びる部位とに伝わることを抑制できる。
【００８１】
さらに、この画像読取装置１では、図１２（ａ）及び（ｂ）に示すように、第１部分５１の下端部５１Ｄと、第３部分６３の下端部６３Ｄとに溜まった液体が落下する場合に、その液体を左面カバー１４の屈曲壁部１４Ａに形成された溝部１４０に溜めることができる。
【００８２】
また、この画像読取装置１では、左面カバー１４の屈曲壁部１４Ａに形成された案内壁１４５により、溝部１４０に溜まる液体を溝部１４０の開いた右端部１４２から下向きに案内し、本体ユニット１０の底部側に導くことができる。
【００８３】
さらに、この画像読取装置１では、第１部分５１の下端部５１Ｄと、第３部分６３の下端部６３Ｄとに溜まった液体が落下する場合に、その液体を左面カバー１４の屈曲壁部１４Ａに形成された傾斜面１４９に付着させ、傾斜面１４９によって溝部１４０に向けて案内することができる。
【００８４】
また、この画像読取装置１では、図５及び図１３に示すように、上方からこぼれた液体が装置の外装面の一部である後面１０Ｇを伝って垂れ、後面１０Ｇに形成された凹部１８０の第１壁面１８１に回り込むおそれがある。この場合でも、第１壁面１８１に形成された溝１８３によって、図１３に示すように、その液体を第２壁面１８２に到達する前で落下させることができる。このため、第２壁面１８２に露出するモデムコネクタ９９にその液体が到達することを抑制できる。
【００８５】
さらに、この画像読取装置１では、ユーザが凹部１８０の第１壁面１８１に手を掛けようとしても、傾斜する第１壁面１８１及び上向きに凹む溝１８３に指先が引っ掛からない。このため、誤って凹部１８０に手を掛けて装置を持ち上げる不具合を抑制できる。
【００８６】
（変形例）
図１４に示すように、変形例の画像読取装置では、第１壁面１８１は、後面１０Ｇから屈曲し、本体ユニット１０の内部に向かって、略水平に延びるように変更されている。第１壁面１８１には、実施例１に係る溝１８３の代わりに、下向きに突出するリブ１８４が形成されている。リブ１８４は、後面１０Ｇの垂直面と第１壁面１８１との境界線１８１Ｂと略平行に延びている。リブ１８４の左端部及び右端部は、第１壁面１８１の左端縁及び右端縁に達している。変形例のその他の構成は、実施例１と同様である。
【００８７】
変形例の画像読取装置では、後面１０Ｇを伝って垂れる液体が凹部１８０の第１壁面１８１に回り込んでも、第１壁面１８１に形成されたリブ１８４によって、その液体を第２壁面１８２に到達する前で落下させることができる。このため、第２壁面１８２に露出するモデムコネクタ９９にその液体が到達することを抑制できる。
【００８８】
以上において、本発明を実施例に即して説明したが、本発明は上記実施例に制限されるものではなく、その趣旨を逸脱しない範囲で適宜変更して適用できることはいうまでもない。
【産業上の利用可能性】
【００８９】
本発明は、画像読取装置又は複合機等に利用可能である。
【符号の説明】
【００９０】
１…画像読取装置、３…読取部、３Ｍ…駆動部、２０…読取ユニット
Ｃ１…電気部品（制御基板）、１０…本体ユニット
５０…第１ケーブル、５０Ａ…第１ケーブルの一端部
５０Ｂ…第１ケーブルの他端部、５０Ｃ…第１ケーブルの中間部
５１…第１ケーブルの中間部における第１部分
１００…保持部、５１Ｄ…第１部分の下端部、
１３…本体ユニットの側壁（左面カバー）
１１０…第１保持部、１１１…第１保持部の第１端部
１２０…第２保持部、１２２…第２保持部の第２端部
５２…第１ケーブルの中間部における第２部分、１１１Ｈ…規制部
１３０…対向壁部、１４０…溝部、１４５…案内壁、１４９…傾斜面
ＳＨ…シート、Ｐ１…搬送経路、４…搬送部、４０…上部ユニット
６０…第２ケーブル、６０Ａ…第２ケーブルの一端部
６０Ｂ…第２ケーブルの他端部、６０Ｃ…第２ケーブルの中間部
６３…第２ケーブルの中間部における第３部分
１０Ｇ…特定側面（後面）、１８０…凹部、１８１…第１壁面
１８１Ｅ…第１壁面における特定側面から離間する端縁
１８２…第２壁面、９９…電位部（モデムコネクタ）
１８３…溝、１８４…リブ、１８１Ｂ…特定側面と第１壁面との境界線
【図１】
0006497170.tif 000002
【図２】
0006497170.tif 000003
【図３】
0006497170.tif 000004
【図４】
0006497170.tif 000005
【図５】
0006497170.tif 000006
【図６】
0006497170.tif 000007
【図７】
0006497170.tif 000008
【図８】
0006497170.tif 000009
【図９】
0006497170.tif 000010
【図１０】
0006497170.tif 000011
【図１１】
0006497170.tif 000012
【図１２】
0006497170.tif 000013
【図１３】
0006497170.tif 000014
【図１４】
0006497170.tif 000015